(57)【要約】本明細書に開示される実施形態は、乳児を人間工学的に有益な位置に位置付ける授乳枕を対象とする。そのような授乳枕の実施形態は、中間領域および２つのアームを伴う枕本体を有し得る。中間領域およびアームは、枕が、中心開放部が母親の胴体を包囲した状態で、母親の胴体の周囲に装着され得るように、アーム間に開放する中心開放部を部分的に包囲および画定し得る。内側表面は、中心開放部と外側側面との間に配置される。内側表面は、中心開放部に面し、中心開放部に近接する内側表面の低点から外側側面に近接する内側表面の高点まで傾斜させられる。したがって、内側表面は、子供の頭部が子供の腹部より上にある状態で装着者に面した人間工学的位置に子供を配置するように適合されている。
2017526454.tif 000002
【特許請求の範囲】
【請求項１】
枕であって、前記枕は、枕本体を備え、前記枕本体は、
中間領域と、
第１のアームと、
前記第１のアームに対向する第２のアームであって、前記中間領域、第１のアーム、および第２のアームは、中心開放部を画定する、第２のアームと、
前記中心開放部の遠位の前記枕本体の外側側面と、
前記中心開放部と前記外側側面との間の内側表面と
を含み、
前記内側表面は、前記中心開放部に面し、前記中心開放部に近接する前記内側表面の低点から前記外側側面に近接する前記内側表面の高点まで傾斜させられている、枕。
【請求項２】
前記内側表面は、子供の頭部が子供の腹部より上にある状態で装着者に面した人間工学的位置に子供を配置するように適合されている、請求項１に記載の枕。
【請求項３】
前記内側表面は、子供の腹部が前記装着者の胴体に接触した状態の人間工学的位置に前記子供を配置するように適合されている、請求項１に記載の枕。
【請求項４】
前記内側表面は、前記装着者の腕の使用を要求することなく、子供を人間工学的位置に維持するように適合されている、請求項１に記載の枕。
【請求項５】
前記外側側面と前記内側表面との間の上部表面を備え、前記上部表面は、前記内側表面における前記内側表面の高点の高さを実質的に有する、請求項１に記載の枕。
【請求項６】
前記内側表面は、前記中間領域の中心における第１の傾斜と、前記第１のアームおよび第２のアームの各々の端部における第２の傾斜とを有し、前記第２の傾斜は、前記第１の傾斜を上回る、請求項５に記載の枕。
【請求項７】
前記第１の傾斜は、約２５度〜３３度である、請求項６に記載の枕。
【請求項８】
前記第２の傾斜は、約５５〜６５度である、請求項７に記載の枕。
【請求項９】
前記内側表面は、前記中間領域の中心と各アームの端部との間の第３の傾斜を有し、前記第３の傾斜は、約３８〜４２度である、請求項８に記載の枕。
【請求項１０】
前記内側表面の傾斜は、前記第１の傾斜から前記第２の傾斜まで線形に増加する、請求項６に記載の枕。
【請求項１１】
前記内側表面の高点は、１０〜１４ｃｍの前記中間領域の中心における前記内側表面の第１の高点を含み、前記第１のアームおよび第２のアームの各々の端部における前記内側表面の第２の高点は、１６〜２０ｃｍである、請求項５に記載の枕。
【請求項１２】
前記内側表面の高点は、前記第１の高点から前記第２の高点まで線形に増加する、請求項１１に記載の枕。
【請求項１３】
前記枕本体は、ショアＡスケール上で約４５〜６５の硬度を伴うポリウレタン発泡体から成る、請求項１に記載の枕。
【請求項１４】
前記ポリウレタン発泡体は、約２．８〜３．４ポンド／立方フィートの密度を有する、請求項１３に記載の枕。
【請求項１５】
前記内側表面は、凹面である、請求項１に記載の枕。
【請求項１６】
子供を枕内に位置付ける方法であって、
装着者の胴体が、第１のアーム、第２のアーム、および中間領域によって画定された中心開放部内に位置付けられるように、枕本体の前記第１のアーム、前記第２のアーム、および前記中間領域を前記装着者の胴体の周囲に配置することであって、前記枕本体は、前記中心開放部の遠位の外側側面と、前記中心開放部と前記外側側面との間の内側表面とをさらに備え、前記内側表面は、前記中心開放部に面し、前記中心開放部に近接する前記内側表面の低点から前記外側側面に近接する前記内側表面の高点まで傾斜させられている、ことと、
子供が人間工学的位置にあるように、前記子供を前記装着者の胴体と前記内側表面との間に位置付けることと
を含む、方法。
【請求項１７】
前記人間工学的位置は、子供の頭部が子供の腹部より上にある状態で、前記子供が前記装着者に面することを含む、請求項１６に記載の方法。
【請求項１８】
前記人間工学的位置は、前記子供の腹部が前記装着者の胴体に接触することを含む、請求項１６に記載の方法。
【請求項１９】
前記子供は、前記装着者の腕の使用を要求することなく、前記人間工学的位置に維持される、請求項１６に記載の方法。
【請求項２０】
前記内側表面は、前記中間領域の中心における第１の傾斜と、前記第１のアームおよび第２のアームの各々の端部における第２の傾斜とを有し、前記第２の傾斜は、前記第１の傾斜を上回る、請求項１６に記載の方法。
【請求項２１】
前記子供の頭部は、前記枕本体の前記第１のアームまたは前記第２のアーム上に位置付けられる、請求項２０に記載の方法。
【請求項２２】
枕であって、前記枕は、左右対称な枕本体を備え、前記枕本体は、
中間領域と、
第１のアームと、
前記第１のアームに対向する第２のアームであって、前記中間領域、第１のアーム、および第２のアームは、中心開放部を画定する、第２のアームと、
前記中心開放部の遠位の前記枕本体の外側側面と、
前記中心開放部と前記外側側面との間の内側表面と
を含み、
前記内側表面は、前記中心開放部に面し、前記中心開放部から前記外側側面まで傾斜させられ、前記内側表面は、前記第１のアームおよび第２のアームの端部において、前記中間領域の中心を上回る傾斜を有し、前記中間領域の中心における前記内側表面の第１の高点は、前記第１のアームおよび前記第２のアームの各々における前記内側表面の第２の高点より低く、前記内側表面は、前記第１のアームまたは前記第２のアーム上に位置付けられている子供の頭部が前記子供の腹部より上にあり、前記子供が装着者に向かって傾けられている状態で前記装着者に面している人間工学的位置に前記子供を配置するように適合されている、枕。
【発明の詳細な説明】
【技術分野】
【０００１】
（関連出願）
本願は、米国仮特許出願第６２／０４６，５４７号（２０１４年９月５日出願、名称「Ｎｕｒｓｉｎｇ  Ｐｉｌｌｏｗ」、発明者、Ｔｅｌｆｏｒｄ他）の米国特許法§１１９に基づく優先権の利益を主張し、上記出願は、その全体が参照により本明細書に援用される。
【０００２】
（技術分野）
本開示は、育児製品に関する。特に、本開示は、授乳枕に関する。より具体的には、本開示は、授乳の間、子供または母親を人間工学的または生理学的に有益な位置に位置付け、維持する、授乳枕に関連する。
【背景技術】
【０００３】
授乳枕は、表向きは、授乳の間、子供が支持されることを可能にする。しかしながら、現在利用可能な授乳枕は、いくつかの欠点に悩まされる。これらの欠点のうちの主なものは、これらの授乳枕が、授乳の間、子供を人間工学的に有益な位置に位置付けず、維持せず、または支持せず、関連欠点として、同様に、母親が、人間工学的に有益な位置を維持することを可能にしないことである。主に、この人間工学的支持の欠如は、現在の授乳枕の形状およびこれらの授乳枕が作製される材料の両方から生じる。特に、従来の授乳枕の形状は、低く、その上に子供が配置される平坦または凸面表面（例えば、表面の中間点における枕の最高部分を有し、母親の近傍および母親から遠位に低点を有する）を有する傾向にある。その結果、子供は、母親の乳房から遠くに位置付けられ得、母親の乳房に面しないこともあるので、そのような枕上に位置付けられる子供は、授乳のために良好に配置されない。そのような位置における子供に授乳するために、母親は、その乳房を子供の口に持って来るため、その背中を丸めた状態で前屈みになるように強いられ得る。代替として、または加えて、母親は、これらの形状を有する授乳枕上に配置されたとき、子供を乳房に持って来るために、または子供が母親から転げ落ちる可能性に対処するために、子供を保持することを要求され得る（例えば、その腕または手がふさがることになる）。
【０００４】
これらの問題を悪化させるものとして、大部分の授乳枕が、その形状を容易に損なわせ、柔らかすぎて、子供のための適正な支持を提供することができないか、または子供を母親の乳房に十分に持って来ることができないポリエステルの詰め物等の材料を使用して作製されることである。したがって、そのような枕上に配置された子供は、そもそも人間工学的に有益な位置に配置されず、子供の位置は、枕が子供の体重に応答して変形するにつれて、子供が枕上により長く居るほど悪化する傾向となるであろう。さらに、そのような授乳枕の使用はまた、枕の材料が変位するにつれて、子供が転がり落ちることを防止するために、母親が子供を保持するか、または常に調節することを要求し得る。
【０００５】
このことから分かるように、従来の授乳枕の使用は、子供および母親の両方に著しい不快感をもたらし得る。所望されるのは、したがって、授乳するとき、子供が人間工学的に有益な位置に位置付けられることを可能にしながら、子供に授乳するとき、人間工学的に有益な位置における母親の維持も促進することによって、これらの欠点を是正する授乳枕である。
【発明の概要】
【課題を解決するための手段】
【０００６】
とりわけ、これらの欠点を是正するため、かついくつかの他の利点を提供するために、本明細書に開示される実施形態は、乳児を人間工学的に有益な位置に位置付ける授乳枕を対象とする。そのような授乳枕の実施形態は、概して、中間領域と、２つの対向するアームとの観点から画定される枕本体を有し得る。中間領域およびアームは、枕が、中心開放部が母親の胴体を包囲した状態で、母親の胴体の周囲に装着され得るように、アーム間に開放する中心開放部を部分的に包囲および画定し得る。授乳枕の実施形態は、したがって、装着されると、アームの一部が装着者の側面に隣接して位置付けられた状態で、枕本体が母親の膝の上に置かれ得るように、概して、Ｕ形状の幾何学形状を有し得る。
【０００７】
具体的には、ある実施形態では、枕本体は、中間領域と、第１のアームと、第１のアームに対向する第２のアームとを含む。中間領域、第１のアーム、および第２のアームは、枕本体の外側側面が中心開放部の遠位に位置付けられた状態で、中心開放部を画定する。内側表面は、中心開放部と外側側面との間に配置される。内側表面は、中心開放部に面し、中心開放部に近接する内側表面の低点から外側側面に近接する内側表面の高点まで傾斜させられる。したがって、内側表面は、子供の頭部が子供の腹部より上にある状態で装着者に面した人間工学的位置に子供を配置するように適合される。
【０００８】
いくつかの実施形態では、枕本体は、外側側面と内側表面との間の上部表面を含み得、上部表面は、実質的に、内側表面における内側表面の高点の高さを有する。
【０００９】
特定の実施形態では、内側表面は、中間領域の中心における第１の傾斜と、第１のアームおよび第２のアームの各々の端部における第２の傾斜であって、第２の傾斜は、第１の傾斜を上回る、第２の傾斜と、中間領域の中心と第１のアームおよび第２のアームの端部の各々との間の第３の傾斜であって、第１の傾斜と第２の傾斜との間にある、第３の傾斜とを有する。例えば、第１の傾斜は、２５〜３３度であることができ、第２の傾斜は、５５〜６５度であることができ、第３の傾斜は、３８〜４２度であることができる。
【００１０】
ある実施形態による枕は、装着者の胴体が、第１のアーム、第２のアーム、および中間領域によって画定された中心開放部内に位置付けられるように、枕本体の第１のアーム、第２のアーム、および中間領域を装着者の胴体の周囲に配置することによって、装着され得る。枕本体は、中心開放部の遠位の外側側面と、中心開放部と外側側面との間の内側表面とを含む。内側表面は、中心開放部に面し、中心開放部に近接する内側表面の低点から外側側面に近接する内側表面の高点まで傾斜させられる。子供は、子供の頭部が子供の腹部より上にある状態で、子供が装着者に面している人間工学的位置あるように、装着者の胴体と内側表面との間に位置付けられることができる。そのような人間工学的位置は、例えば、子供の頭部が枕本体の第１のアーム上または第２のアーム上に位置付けられるときに達成され得る。
【００１１】
したがって、ある実施形態に論じられるように、中心開放部に面した授乳枕の内側表面は、中心開放部から遠位の授乳枕の外側側面における高点から中心開放部に近接する内側表面の縁まで湾曲または傾斜させられ、ポケットを形成し得る。特に、ある実施形態では、授乳枕の内側表面の傾斜は、中間領域の中心平面における約２５〜３３度の角度からアームの端部における約５５〜６５度の角度まで増加し得る。内側表面の傾斜における増加は、実質的に線形であり得る、または枕の周りに中心軸からアームの端部に向かって放射状に進行するある他の関数に従って増加し得る。例えば、傾斜は、中間領域の中心軸からアームの開始まである率で増加し得、アームの開始からアームの終了までより大きい率で増加し得る。このように、そのような授乳枕の実施形態の最高点または表面は、枕の中心開放部（したがって、枕が装着されるときの母親）から遠位にあり、外側表面に近接し得る。
【００１２】
特定の実施形態では、授乳枕は、アーム（またはアームの端部）において、中間領域の中心より高くあり得る。これらの実施形態では、授乳枕の高さは、アームの端部において約１６〜１８ｃｍであり、中間領域の中心において約１１〜１３ｃｍであり得る。そのような実施形態では、高さは、中間領域の中心から授乳枕がその最大高さを有するアームの端部における部分まで実質的に線形に増加し得る。
【００１３】
加えて、ある実施形態では、授乳枕は、ショアＡスケール上で約４５〜６５の硬度を伴うポリウレタン発泡体等の材料から成り得、約２．８〜３．４ポンド／立方フィートの密度を有し得る。
【００１４】
故に、本明細書に開示されるような実施形態は、他の授乳枕に優るいくつかの利点を有し得る。特に、内側表面の傾斜と、授乳枕、特に、アームにおける高さとを含む、実施形態の特有の輪郭により、乳児が授乳枕の内側表面と母親の身体との間のポケット内に配置されると、乳児は、授乳するとき、乳児の頭部を胴体より上に配置する人間工学的または生理学的に有益な位置にあり、乳児の消化を補助し得る。さらに、枕の高さにより、ポケット内に居る子供は、乳児を母親の乳房のレベルに配置する人間工学的に有益な位置にあり得る。したがって、母親は、その乳房を乳児まで持って来るために、体を傾ける、または前屈みになる必要はない。追加の利点として、枕の内側表面の傾斜により、乳児は、母親に向かって傾けられた位置に固定され、母親による抑制または追加の位置付けが要求されずに、乳児の頭部が母親の乳房に向かって傾けられた状態で、腹部と腹部がくっついて位置付けられた状態を含む授乳のための所望の位置を達成し得る。
【００１５】
ここから分かるように、授乳枕のある実施形態の特有の輪郭は、授乳快適性および成功のためのちょうど良い高さに乳児を位置付け、授乳する母親および乳児の両方のために、快適性および人間工学的位置付けをもたらす。さらに、そのような授乳枕の実施形態は、より良好な消化のために、授乳乳児の頭部をその腹部より上に位置付ける役割を果たし、理想的腹部と腹部とをくっつけた位置のために、乳児を母親に向かって傾け、乳児を支持し、乳房を乳児に持って来るのではなく、乳児を乳房に持って来て、母親の腕によって子供を固定することを要求せず、授乳する母親の腕を支持し、体を傾けたり、前屈みになったりすることによる腕の疲労および背痛を軽減する。さらに、実施形態において使用される材料は、乳児および母親の両方の継続的支持と、枕材料の不十分な支持または変位の結果として、その初期位置からの乳児の位置の変更から生じる、体を傾けたり、前屈みになったりすることの軽減とのために、その形状をより良好に維持する。
【００１６】
本開示およびその種々の特徴および有利な詳細は、付随の図面に図示され、以下の説明に詳述される、例示的、したがって、非限定的である実施形態を参照して、より完全に説明される。公知の出発材料およびプロセスの説明は、本開示の詳細を不必要に曖昧にしないように、省略され得る。しかしながら、発明を実施するための形態および具体的実施例は、好ましい実施形態を示すが、限定としてではなく、例証として与えられるにすぎないことを理解されたい。本発明の根本概念の精神および／または範囲内にある種々の代用、修正、追加、および／または再配列は、本開示から、当業者に明白となるであろう。
【図面の簡単な説明】
【００１７】
付随の本明細書を形成する図面は、本発明のある側面を描写するために含まれる。本発明のより明確な印象は、同じ参照番号が同一構成要素を指定する、図面に例証される、例示的であり、したがって、限定ではない実施形態を参照することによって、より明白となるであろう。図面に図示される特徴は、必ずしも、正確な縮尺で描かれていないことに留意されたい。
【００１８】
【図１】図１は、授乳枕の実施形態の概略表現である。
【図２】図２は、授乳枕の実施形態の概略表現である。
【図３】図３は、授乳枕の実施形態の概略表現である。
【図４Ａ】図４Ａ、４Ｂ、および４Ｃは、授乳枕の実施形態の一実施形態の概略表現である。
【図４Ｂ】図４Ａ、４Ｂ、および４Ｃは、授乳枕の実施形態の一実施形態の概略表現である。
【図４Ｃ】図４Ａ、４Ｂ、および４Ｃは、授乳枕の実施形態の一実施形態の概略表現である。
【図５Ａ】図５Ａ、５Ｂ、５Ｃ、５Ｄ、５Ｅ、および５Ｆは、授乳枕の実施形態を図示する概略表現である。
【図５Ｂ】図５Ａ、５Ｂ、５Ｃ、５Ｄ、５Ｅ、および５Ｆは、授乳枕の実施形態を図示する概略表現である。
【図５Ｃ】図５Ａ、５Ｂ、５Ｃ、５Ｄ、５Ｅ、および５Ｆは、授乳枕の実施形態を図示する概略表現である。
【図５Ｄ】図５Ａ、５Ｂ、５Ｃ、５Ｄ、５Ｅ、および５Ｆは、授乳枕の実施形態を図示する概略表現である。
【図５Ｅ】図５Ａ、５Ｂ、５Ｃ、５Ｄ、５Ｅ、および５Ｆは、授乳枕の実施形態を図示する概略表現である。
【図５Ｆ】図５Ａ、５Ｂ、５Ｃ、５Ｄ、５Ｅ、および５Ｆは、授乳枕の実施形態を図示する概略表現である。
【図６Ａ】図６Ａ、６Ｂ、および６Ｃは、授乳枕の一実施形態に位置付けられる子供の概略表現である。
【図６Ｂ】図６Ａ、６Ｂ、および６Ｃは、授乳枕の一実施形態に位置付けられる子供の概略表現である。
【図６Ｃ】図６Ａ、６Ｂ、および６Ｃは、授乳枕の一実施形態に位置付けられる子供の概略表現である。
【図７】図７は、母親によって装着される授乳枕の一実施形態に位置付けられる子供の一実施形態の概略表現である。
【発明を実施するための形態】
【００１９】
授乳枕および関連方法ならびにその種々の特徴および有利な詳細は、付随の図面に図示され、以下の説明に詳述される非限定的実施形態を参照することによって、より完全に説明される。周知の出発材料、処理技法、構成要素、および機器の説明は、詳細において本発明を不必要に曖昧にしないように省略される。しかしながら、発明を実施するための形態および具体的実施例は、本発明の好ましい実施形態を示すが、例証として与えられるにすぎず、限定ではないことを理解されたい。本発明の根本概念の精神および／または範囲内の種々の代用、修正、追加、および／または並べ替えは、本開示から当業者に明白となるであろう。
【００２０】
本開示は、子供が人間工学的に有益な位置において授乳されることを可能にする、授乳枕に関する。特に、本明細書に説明される授乳枕の実施形態は、子供が、母親に向かって角度付けられた人間工学的に有益な位置において、乳房高さに支持および維持されることを可能にする。一実施形態によると、そのような授乳枕は、中心開放部を画定する枕本体を有し得、枕は、母親の胴体の周囲に装着され、中心開放部が母親の胴体を包囲し、授乳枕のアームは、母親の側面に隣接して位置付けられ得る。中心開放部に面した授乳枕の内側表面は、授乳枕の外側側面に近接する高点または上部表面から中心開放部に向かって傾斜させられ、ポケットを形成し得る。このように、内側表面の高さは、断面平面において見ると、中心開放部に近接する内側表面の縁から外側側面まで増加し、その断面平面における内側表面の最大高さは、外側側面に近接してあり得る。実施形態はまた、授乳枕の中間部分と比較してアームにおいてより高い傾斜を伴う内側表面を有し得るか、または中間部分のある部分における枕の高さと比較してアームにおいてより高い高さを有し得る。
【００２１】
したがって、実施形態によると、授乳する母親によって装着されると、内側表面の傾斜は、有利には、授乳中の子供を母親に面した向に位置付ける役割を果たす。さらに、授乳枕のアームにおける内側表面の傾斜の角度は、１つ以上の他の部分における内側表面の傾斜の角度と比較して、授乳するとき、子供の頭部をその子供の腹部の上方に位置付け、消化を補助する役割を果たし得る。授乳枕の高さはまた、子供を乳房高さに位置付ける役割を果たし得る一方、授乳枕の硬度は、枕の形状を維持し、したがって、子供の人間工学的に有益な位置を維持する役割を果たし得る。子供は、したがって、人間工学的および生理学的の両方において有益な位置で授乳され、母親による抑制または追加の位置付けを伴わずに、そのような位置に維持されることができる。
【００２２】
そのような授乳枕の実施形態は、装着する母親にも同様に、人間工学的に有益であり得る。論じられるように、枕の高さは、子供を母親の乳房に位置付け、母親が、乳房を子供の口に持って来るために、体を傾ける必要なく、または前屈みになる必要なく、乳房への吸啜が子供によって達成されることを可能にする役割を果たす。加えて、枕、特に、装着者の側面に隣接して位置付けられるアームにおける高さは、子供を固定するために母親の腕を使用せずに、授乳する母親の腕を支持し、腕の疲労を軽減し、さらに、背痛を軽減する役割を果たしながら、母親が、子供に授乳することを可能にし得る。
【００２３】
ここで図１−３に目を向けると、授乳枕の一実施形態が、描写される。授乳枕１０は、実質的に連続的であるが、概して、２つの対向するアーム１６、１８（例えば、第１のアーム１６および第１のアーム１６に対向する第２のアーム１８）間に配置される中間領域１４の観点から画定され得る、枕本体１２を有する。中間領域１４およびアーム１６、１８は、装着されると、母親の胴体が中心開放部２０内に配置された状態で、その枕１０が母親の胴体の周囲に装着され得るように、アーム１６、１８間の片側に開放する中心開放部２０を部分的に包囲および画定する。いくつかの実施形態では、枕本体１２は、中心垂直軸（「３」、枕本体１２の横断面図は、図３に描写される）を通して延び、枕本体１２を二等分にする中心垂直平面を中心として実質的に左右対称であり得る一方、他の実施形態では、枕本体１２の寸法は、そのような左右対称性を示さないことが所望され得る。例えば、授乳枕１０のアーム１６および１８は、互いに寸法が異なり、子供を位置付けるための異なる選択肢を提供し得る。枕１０は、アーム１６、１８の部分が母親の側面に隣接して位置付けられた状態で、枕本体１２が母親の膝上に置かれるように、略Ｕ形状の幾何学形状を有し得る。枕１０の外側形状は、概して、連続曲線であるが、アーム１６、１８および中間領域１４が出合う角を有する枕等、他の形状も同様に使用され得ることを理解されたい。
【００２４】
中心開放部２０に面する授乳枕の内側表面４２は、中心開放部２０から遠位の授乳枕１０の中心開放部２０と反対の外側側面４０（または外側側面４０に近接する上部表面）から中心開放部２０に向かって湾曲または傾斜させられ、ポケット３０を形成し得る。特に、ある実施形態では、アーム１６、１８は、概して、上側および底側側面から内側に湾曲されるように構築され得、アーム１６、１８および中間領域１４は、内側表面４２が、外側側面４０から中心開放部２０に向かって下方に湾曲または傾斜させられ、ポケット３０を形成するように成形され得る。故に、中間領域１４は、アーム１６、１８と協働し、授乳枕の片側に第１のポケット３０を形成し、子供を収容する。いくつかの実施形態では、中間領域１４はまた、枕１０の他方の側に第２のポケット３２を形成するように構築され得る。具体的には、ある実施形態では、底部表面４４は、外側側面４０から中心開放部２０に向かってより徐々に上向きに湾曲および／または傾斜し、ポケット３２を形成し得る。第２のポケット３２は、第１のポケット３０と異なる幾何学形状（深度、傾斜、または他の特徴）を有し得る。いくつかの実施形態では、ユーザは、ポケット３０、３２の深度／傾斜または他の特徴に基づいて、幼児をより良好に位置付けるために、上にすべき枕の側を選択し得る。
【００２５】
ある実施形態では、授乳枕１０の内側表面４２の傾斜は、中間領域１４の中心において、アーム１６、１８の端部におけるより小さくあり得る。例えば、授乳枕１０の内側表面４２の傾斜は、中間領域１４の中心からアーム１６、１８の端部まで増加し得る（例えば、中心垂直平面からアーム１６、１８の端部まで放射状に進行する）。内側表面４２の傾斜の増加は、実質的に線形であり得るか、または枕の周りに中心垂直平面からアームの端部に向かって進行するある他の関数に従って増加し得る。例えば、傾斜は、中間領域の中心垂直平面からアームの開始まである率で増加し得、アーム１６、１８の開始からアーム１６、１８の終了までより大きい率で増加し得る。このように、そのような授乳枕１０の実施形態の最高点または表面は、中心開放部２０（したがって、枕が装着されるときの母親）から遠位にあり、外側表面４０に近接し得る。
【００２６】
換言すると、一実施形態では、垂直軸と平行な平面（すなわち、垂直軸に直交する法線ベクトルを有する）であり、ある場合にはそれと同一平面である断面平面において見ると、内側表面４２の高さは、中心開放部２０に近接する内側表面４２の内側側面または低点から外側側面４０に近接する高点まで増加し、その断面平面における内側表面４２の最大高さは、外側側面４０に近接する。特に、授乳枕の内側表面４２の傾斜は、中間領域の中心平面における約２５−３３度の角度からアーム１６、１８の端部における約５５−６５度の角度まで増加し得る。
【００２７】
いくつかの実施形態では、枕１０は、外側縁４０と内側表面４２との間に上部表面を有し得、上部表面は、外側側面４０に近接する内側表面４２の最大高さと同一または実質的に類似した高さであり得る（例えば、断面平面において見ると）。この上部表面は、均一幅であり得るか、またはあるエリア内に増加幅を有し得る。例えば、上部表面は、中間領域１４におけるそのような上部表面の幅と比較して、アーム１６、１８に沿ってそれを上回る幅であり得る。
【００２８】
加えて、枕１０は、枕１０の外側側面４０または上部表面が内側表面４２と出合う点において、実質的に均一高さを有し得るか、または枕１０の異なる部分に沿って、異なる高さを有し得る。例えば、中間領域１４の中心垂直平面における授乳枕１０の最大高さは、アーム１６、１８の端部における授乳枕の最大高さより小さくあり得る。そのような実施形態では、高さの増加は、中間領域１４の中心垂直平面からアーム１６、１８の端部まで線形であり得るか（例えば、中心平面からアーム１６、１８の端部まで放射状に進行する）、高さが第１の関数に従って増加する第１の部分と、高さが第１の部分からアーム１６、１８の端部まで第２の関数に従って増加する（例えば、中心平面からアーム１６、１８の端部まで放射状に進行する）第２の部分とを備え得るか、またはある他の関数に従って変動し得る。再び、換言すると、ある実施形態では、外側側面４０に近接する内側表面４２の最大高さは、垂直軸と平行な平面（すなわち、垂直軸に直交する法線ベクトルを有する）であり、ある場合にはそれと同一平面である断面平面において見ると、これらの断面平面の異なるものにおいて異なり得る。
【００２９】
少なくとも、中間領域１４およびアーム１６、１８に対する内側表面４２の形状および枕１０の高さにより、授乳する母親によって装着されると、内側表面４２の傾斜は、有利に、授乳中の子供を母親に面した向に位置付ける役割を果たす。さらに、中間領域１４における授乳枕１０の１つ以上の他の部分における傾斜の角度と比較して、アーム１６、１８における傾斜のより高い角度は、授乳するとき、子供の頭部をその子供の腹部の上方に位置付け、消化を補助する一方、子供を乳房高さに位置付ける役割も果たす。子供は、したがって、人間工学的および生理学的の両方において有益な位置で授乳され、母親による抑制または追加の位置付けを伴わずに、そのような位置に維持されることができる。
【００３０】
子供をそのような位置に維持および支持することを補助するために、枕１０は、ある実施形態では、枕が８００〜９００グラムの重量となり得るように、ショアＡスケール上で約４５〜６５の硬度および約２．７５〜３．２５ポンド／立方フィートの密度を伴うポリウレタン発泡体等の材料から成り得る。授乳枕１０の硬度は、枕１０の形状を維持し、したがって、子供の人間工学的に有益な位置を支持および維持する役割を果たし得る。枕１０はまた、枕１０のポリウレタン発泡体を取り外し可能に被覆するように適合される１つまたは複数の材料から形成されるカバー（図示せず）を含み得る。
【００３１】
ここで、これらの実施形態のあるものをより詳細に説明することが、特定の実施形態の理解に有用となるであろう。最初に、図４Ａ、４Ｂ、および４Ｃを参照すると、授乳枕４００の一実施形態が、描写される。描写される実施形態では、水平軸に沿った授乳枕４００の最も幅が広い点における総発泡体長さ（「Ａ」）は、約６０〜６８センチメートルである。アーム４１６、４１８の各々における授乳枕４００（または内側表面）の高さ（「Ｂ」）は、授乳枕４００の最高点であり、約１６〜２０ｃｍであり得る。授乳枕４００の外側表面上の点からアーム４１６、４１８の端部までのその最も幅が広い点における授乳枕４００の幅（「Ｃ」）は、３４〜３８ｃｍであり得る。授乳枕４００の外側表面上の点から中心開放部の開始に沿って測定されるその最も幅が広い点における授乳枕４００の幅（「Ｄ」）は、約１６〜１８ｃｍであり得る一方、中心垂直平面によって画定された断面において測定される授乳枕４００（または内側表面）の高さは、約１０〜１４ｃｍであり得る。
【００３２】
ここで、図５Ａ−５Ｆに移ると、授乳枕５１０の実施形態を図示する概略表現が、提示される。授乳枕５１０は、実質的に連続であり、２つの対向するアーム５１６、５１８間に配置される中間領域５１４を含む枕本体５１２を有する。中間領域５１４ならびにアーム５１６および５１８は、アーム５１６、５１８間の片側に開放する中心開放部５２０を部分的に包囲および画定する。枕本体５１２は、枕本体５１２を二等分する中心垂直平面（軸５Ｃに沿って得られる）を中心として実質的に左右対称であり得る。
【００３３】
中心開放部５２０に面する授乳枕の内側表面５４２は、中心開放部５２０から遠位の授乳枕の外側側面５４０に近接する上部表面５４４から中心開放部５２０まで湾曲または傾斜させられ、ポケットを形成し得る。具体的には、授乳枕５１０の内側表面５４２の傾斜は、中間領域５１４の中心垂直平面（軸５Ｃ、図５Ｃは、軸５Ｃに沿って得られた横断面図を描写する）からアーム５１６、５１８の端部まで増加し得る（例えば、中心平面からアーム５１６、５１８の端部まで放射状に進行する）。内側表面５４２の傾斜における増加は、実質的に線形であり得るか、または枕５１０の周りに中心軸からアームの端部に向かって進行するか、ある他の関数に従って増加し得る。したがって、内側表面５４２の最大高さは、垂直軸と平行な面（すなわち、垂直軸に直交する法線ベクトルを有する）であり、ある場合にはそれと同一平面である断面平面において見ると、内側表面５４２の最大高さが外側側面５４０に近接するように、中心開放部５２０に近接する内側表面５４２の内側側面から上部表面５４４まで増加する。加えて、いくつかの実施形態では、内側表面５４２は、概して、中心開放部５２０から遠位の授乳枕の外側側面５４０に近接する上部表面５４４から中心開放部５２０まで傾斜させられるが、内側表面５４２が内向きに湾曲するように、凹面であり得る。
【００３４】
特に、授乳枕の内側表面５４２の傾斜は、中間領域５１４の中心垂直平面における約２５〜３３度の角度からアーム５１６、５１８の端部における約５５〜６５度の角度まで増加し得る。より詳細に図示するために、図５Ｃを見ると、断面平面が軸５９０に垂直である軸５Ｃ（アーム５１６、５１８の端点間の軸５９０の中間点を通って延びている）に沿って得られた断面平面では、内側表面５４２は、水平平面から測定される場合、中心開放部５２０から上部表面５４４まで約３１度の傾斜を有し得る。枕本体５１２の周りに放射状に進行し、次いで、図５Ｄを見ると、水平軸５９０に対して７０度の角度における軸５Ｄ（アーム５１６、５１８の端点間の中間点を通って延びている）に沿って得られた断面平面では、内側表面５４２は、水平平面から測定される場合、中心開放部５２０から上部表面５４４まで約３３度の傾斜を有し得る。枕本体５１２の周りに放射状にさらに移動し、図５Ｅを参照すると、水平軸５９０に対して４５度の角度における軸５Ｅ（アーム５１６、５１８の端点間の軸５９０の中間点を通って延びている）に沿って得られた断面平面では、内側表面５４２は、水平平面から測定される場合、中心開放部５２０から上部表面５４４まで約４０度の傾斜を有し得る。ここで図５Ｆを見ると、断面平面が、軸５Ｆ（軸５９０を通って延びている垂直平面と同一平面であり、そのような垂直平面から約１００ｍｍである）に沿って得られた断面平面における、枕本体５１２をさらに放射状に周った点では、内側表面５４２は、水平平面から測定される場合、中心開放部５２０から上部表面５４４まで約５８度の傾斜を有し得る。
【００３５】
本明細書に開示されるような授乳枕の実施形態の形状が深く理解されたため、そのような実施形態の使用および利点をより詳細に開示することが有用であり得る。図６Ａ、６Ｂ、および６Ｃは、授乳枕の一実施形態に位置付けられた子供の概略表現である。論じられるように、開示されるような授乳枕の実施形態は、中心開放部が母親の胴体を包囲し、授乳枕のアームが母親の側面に隣接して位置付けられた状態で、母親の胴体（図示せず）の周囲に装着され得る。図６Ａは、装着者の背後から見た授乳枕６１０に位置付けられた子供６２０の図を描写し、図６Ｂは、装着者に向かって見た授乳枕６１０に位置付けられた子供の図を描写し、図６Ｃは、装着者の側面から見た授乳枕６１０に位置付けられた子供の図を描写する。これらの図から分かるように、子供６２０は、母親に面し、母親に向かって傾けられる、授乳枕６１０の傾斜させられた内側表面によって形成されるポケット内に配置され得る。具体的には、子供６２０は、母親の胴体と枕６１０の傾斜させられた内側表面との間のポケット内に配置され得る。
【００３６】
実施形態に論じられるように、枕６１０の内側表面の高さは、枕の最大高さが枕６１０の外側側面に近接し得るように、母親の胴体に近接する内側表面の縁から枕の外側側面まで増加する。加えて、枕６１０の内側表面は、授乳枕の中間部分と比較してアームにおいてより高い傾斜と、中間部分のある部分における枕の高さと比較してアームにおいてより高い高さとを有する。したがって、枕６１０の内側表面は、有利に、授乳中の子供６２０を母親に面して、または母親に向かって傾けられる向に位置付け、腹部と腹部とがくっついた位置にさせる役割を果たす。この位置は、例えば、図６Ｃに見られ得、子供の頭部６２０は、より高く、装着者に近接する一方、子供６２０の臀部は、より低く、装着者の遠位にある。さらに、アームにおける内側表面の傾斜の角度と授乳枕の１つ以上の他の部分における傾斜の角度との間の差異は、授乳するとき、子供の頭部６２０をその腹部の上方に位置付け、支持し、消化を補助する一方、授乳するとき、子供６２０の頭部および身体を母親（したがって、母親の乳房）に向かって角度付け、母親の乳房への吸啜の達成および維持を補助し、より優れた快適性に寄与する役割も果たす。
【００３７】
とりわけこれらの点をさらに図示する、図７は、母親によって実際に装着された授乳枕の一実施形態に位置付けられた子供の一実施形態の概略表現である。図７から分かるように、授乳枕７００は、母親７１０の胴体を中心として配置され得、便利かつ快適に、母親７１０の脚部上に置かれ得る。子供７２０は、枕７００の内側表面と母親７１０の胴体との間の枕７００の内側表面によって形成されるポケット内に配置されることができる。授乳枕７００の高さ（例えば、子供の頭部が置かれ得るアームの端部における）は、子供を乳房高さに位置付ける役割を果たす一方、授乳枕７００の硬度は、枕の形状を維持し、したがって、子供の位置を維持する役割を果たし得る。子供は、したがって、人間工学的および生理学的の両方において有益な位置で授乳され、母親による抑制または追加の位置付けを伴わずに、そのような位置に維持されることができる。具体的には、子供は、母親の腕の使用を要求することなく、そのような人間工学的位置に維持され得る。
【００３８】
加えて、枕７１０の高さは、母親が乳房を子供の口に持って来るために、体を傾ける必要なく、または前屈みになる必要なく、子供７２０を母親の乳房に位置付け、乳房への吸啜が子供によって達成されることを可能にする役割を果たす。加えて、枕７１０、特に、母親の側面に隣接して位置付けられるアームにおける高さは、枕７１０が、授乳する母親の腕のための支持を提供し、腕の疲労を軽減し、さらに、背痛を軽減することを可能にし得る。
【００３９】
本明細書における説明では、構成要素および／または方法の実施例等の多数の具体的詳細が、本発明の実施形態の完全理解をもたらすために提供される。しかしながら、当業者は、実施形態が、具体的詳細のうちの１つ以上のものを伴わずに、もしくは他の装置、システム、アセンブリ、方法、構成要素、材料、部品、および／または同等物を伴って、実践されることが可能であり得ることを認識するであろう。他の事例では、周知の構造、構成要素、システム、材料、または動作は、本発明の側面の実施形態を曖昧にすることを回避するために、具体的に示されない、または詳細に説明されない。本発明は、特定の実施形態を使用することによって図示され得るが、これは、本発明の限定ではなく、それを任意の特定の実施形態に限定するものでもなく、当業者は、追加の実施形態が、容易に理解可能であり、本発明の一部であることを認識するであろう。
【００４０】
例えば、実施形態は、授乳する母親である装着者によって使用され、授乳中の子供を位置付けるために使用されるように、本明細書に説明されたが、他の実施形態は、他の装着者によって、他の状況下で利用され得る。例えば、実施形態は、子供が、その腹部が装着者（子供の母親であることも、そうでないこともある）の腹部と接触した状態での快適な位置において睡眠することを可能にするために効果的に利用され得る。加えて、実施形態は、再び、子供の母親であることも、そうでないこともある装着者によって、子供の哺乳瓶による授乳のために有用であるように利用され得る。
【００４１】
本明細書で使用される場合、用語「ｃｏｍｐｒｉｓｅ（備える）」、「ｃｏｍｐｒｉｓｉｎｇ（備える）」、「ｉｎｃｌｕｄｅ（含む）」、「ｉｎｃｌｕｄｉｎｇ（含む）」、「ｈａｓ（有する）」、「ｈａｖｉｎｇ（有する）」、またはその任意の他の変形例は、非排他的含有を網羅することが意図される。例えば、要素のリストを備える、プロセス、製品、物品、または装置は、必ずしも、それらの要素のみに限定されず、明示的にリストされていない、あるいはそのようなプロセス、物品、または装置に固有の他の要素を含み得る。さらに、別様に示されない限り、用語「ｏｒ（または）」は、包括的「または」を指し、排他的「または」を指すものではない。例えば、条件ＡまたはＢは、以下のうちの任意の１つによって充足される：Ａは、真（または、存在）であり、Ｂは、偽（または、不在）である、Ａは、偽（または、不在）であり、Ｂは、真（または、存在）である、ならびにＡおよびＢの両方が、真の（または、存在）である。本明細書で使用されるように、以下の請求項を含め、「ａ」または「ａｎ」（および、先行詞が「ａ」または「ａｎ」であるときは、「ｔｈｅ」）によって先行される用語は、別様に請求項内で明確に示されない限り、そのような用語の単数形および複数形の両方を含む（すなわち、「ａ」または「ａｎ」の参照は、単数形のみまたは複数形のみを明確に示す）。また、本明細書の説明および以下の請求項全体を通して使用されるように、「ｉｎ（の中に）」の意味は、文脈によって明確に別様に示されない限り、「ｉｎ（の中に）」および「ｏｎ（の上に）」を含む。
【００４２】
加えて、本明細書に与えられる任意の実施例または例証は、いかようにも、それらがともに利用される任意の用語または複数の用語の制限、限定、またはその定義を表現するものとして、見なされない。代わりに、これらの実施例または例証は、ある特定の実施形態に関して説明されており、例証にすぎないものと見なされるべきである。当業者は、これらの実施例または例証とともに利用される任意の用語または複数の用語が、それとともに、または明細書のいずれかに与えられ得る、あるいは与えられない場合もある、他の実施形態を包含し、全てのそのような実施形態が、その用語または複数の用語の範囲内に含まれることが意図されることを理解するであろう。そのような非限定的実施例および例証を指定する用語として、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（一実施形態では）」が挙げられるが、それらに限定されない。
【００４３】
本明細書全体を通しての「ｏｎｅ  ｅｍｂｏｄｉｍｅｎｔ（一実施形態）」、「ａｎ  ｅｍｂｏｄｉｍｅｎｔ（ある実施形態）」、または「ａ  ｓｐｅｃｉｆｉｃ  ｅｍｂｏｄｉｍｅｎｔ（具体的実施形態）」、あるいは類似専門用語の参照は、実施形態に関連して説明される特定の特徴、構造、または特性が、少なくとも、一実施形態に含まれ、必ずしも、全実施形態に存在しなくてもよいことを意味する。したがって、語句「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」、または「ｉｎ  ａ  ｓｐｅｃｉｆｉｃ  ｅｍｂｏｄｉｍｅｎｔ（具体的実施形態では）」、あるいは本明細書全体を通した種々の場所における類似専門用語の個別の表出は、必ずしも、同一の実施形態を参照するわけではない。さらに、任意の特定の実施形態の特定の特徴、構造、または特性は、任意の好適な様式において、１つ以上の他の実施形態と組み合わせられてもよい。本明細書に説明および図示される実施形態の他の変形例および修正も、本明細書の教示に照らして可能であり、本発明の精神および範囲の一部として見なされるべきであることを理解されたい。
【００４４】
また、図面／図に描写される要素のうちの１つ以上のものは、特定の用途に従って有用であるようなある場合には、より分離される、または統合される様式において、実装される、あるいは除去される、または動作不能にさえされ得ることを理解されたい。
【００４５】
本発明は、その具体的実施形態に関して説明されたが、これらの実施形態は、単に、例証であり、本発明の制限ではない。本発明の図示される実施形態の本明細書における説明は、要約および概要における説明を含め、包括的であること、または本発明を本明細書に開示される精密な形態に限定することを意図しない（および、特に、要約または概要内の任意の特定の実施形態、特徴、または機能の包含は、発明の範囲をそのような実施形態、特徴、または機能に限定することを意図しない）。むしろ、説明は、当業者に、要約または概要に説明される任意のそのような実施形態特徴または機能を含め、本発明を任意の特に説明される実施形態、特徴、または機能に限定せず、本発明を理解するための背景を提供するために、例証的実施形態、特徴、および機能を説明することを意図する。本発明の具体的実施形態およびその実施例は、例証目的のためだけに本明細書に説明されるが、種々の均等修正も、当業者が認識および理解するであろうように、本発明の精神および範囲内において可能である。示されるように、これらの修正は、本発明の図示される実施形態の前述の説明に照らして、本発明に行われてもよく、本発明の精神および範囲内に含まれるものとする。したがって、本発明は、その特定の実施形態を参照して、本明細書に説明されるが、様々な修正、種々の変更および代用が、前述の開示内で意図され、いくつかの事例では、記載されるような本発明の範囲および精神から逸脱することなく、本発明の実施形態のいくつかの特徴が、他の特徴の対応する使用を伴わずに、採用されるであろうことを理解されるであろう。したがって、多くの修正は、特定の状況または材料を本発明の本質的範囲および精神に適合させるために行われ得る。
【図１】
2017526454.tif 000003
【図２】
2017526454.tif 000004
【図３】
2017526454.tif 000005
【図４Ａ】
2017526454.tif 000006
【図４Ｂ】
2017526454.tif 000007
【図４Ｃ】
2017526454.tif 000008
【図５Ａ】
2017526454.tif 000009
【図５Ｂ】
2017526454.tif 000010
【図５Ｃ】
2017526454.tif 000011
【図５Ｄ】
2017526454.tif 000012
【図５Ｅ】
2017526454.tif 000013
【図５Ｆ】
2017526454.tif 000014
【図６Ａ】
2017526454.tif 000015
【図６Ｂ】
2017526454.tif 000016
【図６Ｃ】
2017526454.tif 000017
【図７】
2017526454.tif 000018
【国際調査報告】
2017526454.tif 000019